(57)【要約】【課題】デジタルＡＶ機器の設定での人為的ミスを抑制でき、かつ、デジタルＡＶ機器の低コスト化を図ることができる設定データコピー方法を提供する。【解決手段】コピー元デジタルＡＶ機器１００と、コピー元デジタルＡＶ機器１００と同種のコピー先デジタルＡＶ機器２００とを例えばＨＤＭＩケーブル３００を介してＨＤＭＩ接続するステップと、コピー元デジタルＡＶ機器１００が、コピー元デジタルＡＶ機器１００の設定データの全部又は一部を、ＣＥＣコマンドを用いてコピー先デジタルＡＶ機器２００に送るステップと、コピー先デジタルＡＶ機器２００が、コピー元デジタルＡＶ機器１００から受け取った前記設定データの全部又は一部に基づいて、自己の設定データを更新するステップとを備える設定データコピー方法。【選択図】図１
2011004067.tif 000002
【特許請求の範囲】
【請求項１】
コピー元デジタルＡＶ機器と、前記コピー元デジタルＡＶ機器と同種のコピー先デジタルＡＶ機器とをＨＤＭＩ接続するステップと、
前記コピー元デジタルＡＶ機器が、前記コピー元デジタルＡＶ機器の設定データの全部又は一部を、ＣＥＣコマンドを用いて前記コピー先デジタルＡＶ機器に送るステップと、
前記コピー先デジタルＡＶ機器が、前記コピー元デジタルＡＶ機器から受け取った前記設定データの全部又は一部に基づいて、自己の設定データを更新するステップとを備える設定データコピー方法。
【請求項２】
コピー元デジタルＡＶ機器と設定データコピー用治具とをＨＤＭＩ接続するステップと、
前記コピー元デジタルＡＶ機器が、前記コピー元デジタルＡＶ機器の設定データの全部又は一部を、ＣＥＣコマンドを用いて前記設定データコピー用治具に送るステップと、
前記設定データコピー用治具が、前記コピー元デジタルＡＶ機器から受け取った前記設定データの全部又は一部を保存するステップと、
前記設定データコピー用治具と、前記コピー元デジタルＡＶ機器と同種のコピー先デジタルＡＶ機器とをＨＤＭＩ接続するステップと、
前記設定データコピー用治具が、保存している前記設定データの全部又は一部を、ＣＥＣコマンドを用いて前記コピー先デジタルＡＶ機器に送るステップと、
前記コピー先デジタルＡＶ機器が、前記設定データコピー用治具から受け取った前記設定データの全部又は一部に基づいて、自己の設定データを更新するステップとを備える設定データコピー方法。
【請求項３】
ＨＤＭＩインターフェースを備えるデジタルＡＶ機器であって、
前記デジタルＡＶ機器の設定データの全部又は一部を前記デジタルＡＶ機器と同種のコピー先デジタルＡＶ機器に送るためのＣＥＣコマンドを生成し、その生成したＣＥＣコマンドを前記ＨＤＭＩインターフェースに出力する制御部を備えることを特徴とするデジタルＡＶ機器。
【請求項４】
前記ＨＤＭＩインターフェースが複数のＨＤＭＩ端子を有し、
前記複数のＨＤＭＩ端子の各ＣＥＣピン同士が直結されて前記制御部に接続されることを特徴とする請求項３に記載のデジタルＡＶ機器。
【請求項５】
前記デジタルＡＶ機器がテレビジョン受像機であることを特徴とする請求項３又は請求項４に記載のデジタルＡＶ機器。
【請求項６】
請求項３〜５のいずれか１項に記載のデジタルＡＶ機器からＣＥＣコマンドを受信するＨＤＭＩインターフェースと、
前記ＨＤＭＩインターフェースにより受信されたＣＥＣコマンドに基づいて、前記デジタルＡＶ機器の設定データの全部又は一部を格納する格納部と、
前記格納部に格納された前記デジタルＡＶ機器の設定データの全部又は一部を前記デジタルＡＶ機器と同種のコピー先デジタルＡＶ機器に送るためのＣＥＣコマンドを生成し、その生成したＣＥＣコマンドを前記ＨＤＭＩインターフェースに出力する制御部とを備えることを特徴とする設定データコピー用治具。
【発明の詳細な説明】
【技術分野】
【０００１】
本発明は、デジタルＡＶ機器、デジタルＡＶ機器の設定データをコピーするための設定データコピー用治具、及びデジタルＡＶ機器の設定データをコピーする設定データコピー方法に関する。
【背景技術】
【０００２】
ＨＤＭＩ（High-Definition Multimedia Interface）は、デジタルＡＶ機器向けのデジタルインタフェースで、映像や音声のデータを１本のケーブルで高速転送することができる。近年の薄型ＴＶやＤＶＤレコーダなどのデジタルＡＶ機器は、ＨＤＭＩ端子を標準搭載する機器が増加している。
【０００３】
ＨＤＭＩ端子を有するデジタルＡＶ機器間の接続に用いられるＨＤＭＩケーブルは、以下の第１〜第５の信号線を有している。
【０００４】
第１の信号線は、音声・映像データ（以下、ＡＶデータという）とインフォフレーム（ＡＶデータのフォーマットなどの情報）をＴＭＤＳ（Transition Minimized Differential Signaling）形式でソース機器からシンク機器へ片方向で伝送するＴＭＤＳデータ信号線である。
【０００５】
第２の信号線は、主に、ソース機器からシンク機器へのＡＶデータの送出開始タイミングを指示するために使用されるＨＰＤ（Hot Plug Detect）信号線である。
【０００６】
第３の信号線は、シンク機器の固有情報（ベンダ名、型番、許容解像度、ＨＤＭＩの端子番号など）をソース機器に伝送するために使用されるＤＤＣ（Display Data Channel）信号線である。また、ＤＤＣ信号線はＨＤＣＰ（High-bandwidth Digital Content Protection）認証にも使用される。ＤＤＣ信号線は、ＨＤＭＩケーブルがシンク機器のＨＤＭＩ端子に接続されているときに、シンク機器内のＮＶＲＡＭ（Non Volatile RAM）に接続されることになる。
【０００７】
第４の信号線は、ソース機器からシンク機器に５Ｖ電源を供給するためのＤＤＣ５Ｖ信号線である。尚、シンク機器は、ソース機器からの５Ｖ電源が第４の信号線によって供給されてから、ＨＤＭＩ端子のＨＰＤピンに５ＶのＨＰＤ信号を出力するハード構成となっている。
【０００８】
第５の信号線は、ＣＥＣ（Consumer Electronics Control）機能を実現するために使用されるＣＥＣ信号線である。
【０００９】
ＣＥＣ機能とは、ソース機器とシンク機器との間の双方向制御を可能とする機能であり、ＡＶデータ出力の規格と共にＨＤＭＩ規格に規定されている。ＣＥＣ機能に対応する電子機器も既に多数販売されている。ＣＥＣ機能は、ソース機器とシンク機器との間で双方向でのコマンドのやりとりが可能であるため、１対１の機器制御、１対複数の機器制御のいずれも可能である。
【００１０】
ＣＥＣ規格には、いろいろな機能が規定されている。例えば、Ｏｎｅ  Ｔｏｕｃｈ  Ｐｌａｙ機能は、ソース機器（例えばＤＶＤレコーダ）のＰｌａｙボタンを押すと、シンク機器（例えばデジタルテレビ）が、省電力待機状態を維持するスタンバイモードから通常動作状態を維持する電源ＯＮモードに自動で移行し、ＨＤＭＩケーブルによってソース機器に接続されているＨＤＭＩ端子を“入力”として選択するという動作を行うものである。ＣＥＣ規格には、他にも数多く機能が定義されているが、どの機能を製品で実現するかは、メーカーに委ねられている。
【先行技術文献】
【特許文献】
【００１１】
【特許文献１】特開２００８−２８８２９号公報
【特許文献２】特開２００８−１０９３４２号公報
【発明の概要】
【発明が解決しようとする課題】
【００１２】
ところで、デジタルＡＶ機器は、選局可能なチャンネルに関する設定値、映像のコントラストに関する設定値、映像のブライトに関する設定値などの各種設定値を含む設定データを、内部のメモリに不揮発的に記憶している。当該設定データの内容が、いわゆる「デジタルＡＶ機器の設定」となる。
【００１３】
そして、例えば、ホテルの各客室に設置するテレビジョン受像機をホテルに納品する場合、客室の照明環境、宿泊客に対する視聴制限や操作制限などがホテル毎に異なるため、販売店やサービスの作業者が、多数（客室数に対応する台数）のテレビジョン受像機の設定を、納品するホテルに適した設定にする必要がある。かかる設定作業の具体的な方法としては、多数のテレビジョン受像機について手動で１台毎に設定する方法と、１台のテレビジョン受像機について手動で設定を行い、手動による設定が完了したテレビジョン受像機から設定データを読み出してＳＤメモリなどの外部メモリに書き込み、その外部メモリを用いて他のテレビジョン受像機に設定データをコピーする方法とがあった。
【００１４】
しかしながら、前者の方法、すなわち、多数のテレビジョン受像機について手動で１台毎に設定する方法を実施した場合、人為的ミスが発生するおそれがある。
【００１５】
また、後者の方法、すなわち、１台のテレビジョン受像機について手動で設定を行い、手動による設定が完了したテレビジョン受像機から設定データを読み出してＳＤメモリなどの外部メモリに書き込み、その外部メモリを用いて他のテレビジョン受像機に設定データをコピーする方法を実施した場合、テレビジョン受像機に外部メモリ用のインターフェースを設ける必要があり、テレビジョン受像機のコストアップの要因となる。
【００１６】
なお、特許文献１では、放送視聴システムを構成する互いに種類の異なる二つのデジタルＡＶ機器（テレビ受信装置、記録再生装置）間において、設定データをコピーする技術が開示されているが、同一種の複数のデジタルＡＶ機器間において設定データをコピーする技術については何ら開示も示唆もされていない。
【００１７】
また、特許文献２では、設定画面画像の表示に関する技術が開示されているが、同一種の複数のデジタルＡＶ機器間において設定データをコピーする技術については何ら開示も示唆もされていない。
【００１８】
本発明は、上記の状況に鑑み、デジタルＡＶ機器の設定での人為的ミスを抑制でき、かつ、デジタルＡＶ機器の低コスト化を図ることができる、デジタルＡＶ機器、設定データコピー用治具、及び設定データコピー方法を提供することを目的とする。
【課題を解決するための手段】
【００１９】
上記目的を達成するために本発明に係る設定データコピー方法は、コピー元デジタルＡＶ機器と、前記コピー元デジタルＡＶ機器と同種のコピー先デジタルＡＶ機器とをＨＤＭＩ接続するステップと、前記コピー元デジタルＡＶ機器が、前記コピー元デジタルＡＶ機器の設定データの全部又は一部を、ＣＥＣコマンドを用いて前記コピー先デジタルＡＶ機器に送るステップと、前記コピー先デジタルＡＶ機器が、前記コピー元デジタルＡＶ機器から受け取った前記設定データの全部又は一部に基づいて、自己の設定データを更新するステップとを備えている。
【００２０】
上記の方法によると、ＣＥＣコマンドによって設定データの全部又は一部のコピーが行われるので、人為的ミスを抑制できる。また、上記の方法によると、コピー元デジタルＡＶ機器及びコピー先デジタルＡＶ機器に外部メモリ用のインターフェースを設ける必要がないので、デジタルＡＶ機器の低コスト化を図ることができる。
【００２１】
また、上記目的を達成するために本発明に係る設定データコピー方法は、コピー元デジタルＡＶ機器と設定データコピー用治具とをＨＤＭＩ接続するステップと、前記コピー元デジタルＡＶ機器が、前記コピー元デジタルＡＶ機器の設定データの全部又は一部を、ＣＥＣコマンドを用いて前記設定データコピー用治具に送るステップと、前記設定データコピー用治具が、前記コピー元デジタルＡＶ機器から受け取った前記設定データの全部又は一部を保存するステップと、前記設定データコピー用治具と、前記コピー元デジタルＡＶ機器と同種のコピー先デジタルＡＶ機器とをＨＤＭＩ接続するステップと、前記設定データコピー用治具が、保存している前記設定データの全部又は一部を、ＣＥＣコマンドを用いて前記コピー先デジタルＡＶ機器に送るステップと、前記コピー先デジタルＡＶ機器が、前記設定データコピー用治具から受け取った前記設定データの全部又は一部に基づいて、自己の設定データを更新するステップとを備えている。
【００２２】
上記の方法によると、ＣＥＣコマンドによって設定データの全部又は一部のコピーが行われるので、人為的ミスを抑制できる。また、上記の方法によると、コピー元デジタルＡＶ機器及びコピー先デジタルＡＶ機器に外部メモリ用のインターフェースを設ける必要がないので、デジタルＡＶ機器の低コスト化を図ることができる。
【００２３】
上記目的を達成するために本発明に係るデジタルＡＶ機器は、ＨＤＭＩインターフェースを備えるデジタルＡＶ機器であって、前記デジタルＡＶ機器の設定データの全部又は一部を前記デジタルＡＶ機器と同種のコピー先デジタルＡＶ機器に送るためのＣＥＣコマンドを生成し、その生成したＣＥＣコマンドを前記ＨＤＭＩインターフェースに出力する制御部を備える構成とする。
【００２４】
上記構成のデジタルＡＶ機器によると、コピー先デジタルＡＶ機器とＨＤＭＩ接続された場合、ＣＥＣコマンドによる設定データの全部又は一部のコピーが可能となるので、人為的ミスを抑制できる。また、上記構成のデジタルＡＶ機器及びコピー先デジタルＡＶ機器に外部メモリ用のインターフェースを設ける必要がないので、コピー元となるデジタルＡＶ機器及びコピー先デジタルＡＶ機器の低コスト化を図ることができる。
【００２５】
また、前記ＨＤＭＩインターフェースが複数のＨＤＭＩ端子を有し、前記複数のＨＤＭＩ端子の各ＣＥＣピン同士が直結されて前記制御部に接続される構成であってもよい。これにより、複数のコピー先デジタルＡＶ機器に同時に設定データの全部又は一部をコピーすることが可能になる。
【００２６】
また、デジタルＡＶ機器の一例としては、デジタル放送受信が可能なテレビジョン受像機が挙げられる。
【００２７】
上記目的を達成するために本発明に係る設定データコピー用治具は、上記いずれかの構成のデジタルＡＶ機器からＣＥＣコマンドを受信するＨＤＭＩインターフェースと、前記ＨＤＭＩインターフェースにより受信されたＣＥＣコマンドに基づいて、前記デジタルＡＶ機器の設定データの全部又は一部を格納する格納部と、前記格納部に格納された前記デジタルＡＶ機器の設定データの全部又は一部を前記デジタルＡＶ機器と同種のコピー先デジタルＡＶ機器に送るためのＣＥＣコマンドを生成し、その生成したＣＥＣコマンドを前記ＨＤＭＩインターフェースに出力する制御部とを備える構成とする。
【００２８】
上記構成の設定データコピー用治具によると、上記いずれかの構成のデジタルＡＶ機器と設定データコピー用治具とをＨＤＭＩ接続し、その後、設定データコピー用治具とコピー先デジタルＡＶ機器とをＨＤＭＩ接続した場合、ＣＥＣコマンドによる設定データの全部又は一部のコピーが可能となるので、人為的ミスを抑制できる。また、デジタルＡＶ機器及びコピー先デジタルＡＶ機器に外部メモリ用のインターフェースを設ける必要がないので、コピー元となるデジタルＡＶ機器及びコピー先デジタルＡＶ機器の低コスト化を図ることができる。
【発明の効果】
【００２９】
本発明によると、ＣＥＣコマンドによって設定データのコピーを行うことができるので、人為的ミスを抑制できる。また、本発明によると、コピー元デジタルＡＶ機器及びコピー先デジタルＡＶ機器に外部メモリ用のインターフェースを設ける必要がないので、デジタルＡＶ機器の低コスト化を図ることができる。
【図面の簡単な説明】
【００３０】
【図１】設定データのコピー元テレビジョン受像機とコピー先テレビジョン受像機とのＨＤＭＩ接続例を示す図である。
【図２】テレビジョン受像機の概略構成例を示す図である。
【図３】設定データコピー中メッセージのＯＳＤ表示の様子を示す図である。
【図４】設定データコピー終了メッセージのＯＳＤ表示の様子を示す図である。
【図５】設定データのコピー元テレビジョン受像機と複数のコピー先テレビジョン受像機とのＨＤＭＩ接続例を示す図である。
【図６】本発明の一実施形態に係る設定データコピー用治具の概略構成例を示す図である。
【図７】設定データコピー用治具とコピー元テレビジョン受像機、コピー先テレビジョン受像機との各ＨＤＭＩ接続例を示す図である。
【発明を実施するための形態】
【００３１】
本発明は、ＨＤＭＩのＣＥＣ機能を利用して、同一種の複数のデジタルＡＶ機器間において設定データをコピーする技術に関するものである。本発明の実施形態について図面を参照して以下に説明する。以下に説明する実施形態では、デジタルＡＶ機器の一例としてテレビジョン受像機を取りあげている。
【００３２】
図１は、設定データのコピー元テレビジョン受像機とコピー先テレビジョン受像機とのＨＤＭＩ接続例を示す図である。図１に示すＨＤＭＩ接続例では、コピー元テレビジョン受像機１００とコピー先テレビジョン受像機２００とが、ＨＤＭＩケーブル３００を介して１対１接続されている。また、設定データは、例えば、選局可能なチャンネルに関する設定値、映像のコントラストに関する設定値、映像のブライトに関する設定値などの各種設定値を含んでいる。なお、コピー対象は、設定データ全体であってもよく、設定データの一部であってもよい。
【００３３】
次に、コピー元テレビジョン受像機１００及びコピー先テレビジョン受像機２００の概略構成例を図２に示す。コピー元テレビジョン受像機１００及びコピー先テレビジョン受像機２００はそれぞれ、チューナ２と、ＨＤＭＩ入出力部３と、ＡＶ入力部４と、ＤＥＭＵＸ（デマルチプレクサ）５と、ＡＶデコーダ６と、リモコン受光部８と、スイッチ９と、映像処理部１０と、ＯＳＤ／スケーラ１１と、映像出力部１２と、音声処理部１３と、音声出力部１４と、スピーカ１５と、第１のＣＰＵ（Central Processing Unit）１６と、第２のＣＰＵ１７と、メモリ１８と、表示部１９と、ホットプラグ制御部２０とを備える。
【００３４】
アンテナ１は、屋外に配置されており、デジタル放送波を受信し、高周波デジタル変調信号をチューナ２に出力する。
【００３５】
チューナ２は、第１のＣＰＵ１６からのチャンネル選択信号によって物理チャンネルを選択する。チューナ２は、このチャンネル選択プロセスによって、高周波デジタル変調信号を特定周波数の信号に変換する。また、チューナ２は、選択されたデジタル変調信号を復調してトランスポートストリームを生成し、その生成したトランスポートストリームをＤＥＭＵＸ５に出力する。
【００３６】
ＤＥＭＵＸ５は、チューナ２から受け取ったトランスポートストリームを、ＭＰＥＧ−２（Moving Picture Experts Group-2）のビデオストリーム、オーディオストリーム、およびＰＳＩ／ＳＩ（Program Specific Information／Service Information）等に分離する。
【００３７】
ＡＶデコーダ６はビデオストリームに対してデコードを行うビデオデコーダ（不図示）と、オーディオストリームに対してデコードを行うオーディオデコーダ（不図示）とを備え、デコード後の映像音声情報をスイッチ９に出力する。
【００３８】
ＨＤＭＩ入出力部３は、３つのＨＤＭＩ端子（不図示）を有しており、各ＨＤＭＩ端子にＨＤＭＩケーブルが接続可能である。外部機器からＨＤＭＩケーブルのＴＭＤＳデータ信号線を介してＨＤＭＩ入出力部３に入力された映像音声情報は、スイッチ９に入力される。また、３つのＨＤＭＩ端子のＣＥＣピンは直結されて第１のＣＰＵ１６に接続されているため、外部機器からＨＤＭＩケーブルのＣＥＣ信号線を介してＨＤＭＩ入出力部３に入力されたＣＥＣコマンドは、第１のＣＰＵ１６に入力される。また、第１のＣＰＵ１６からＨＤＭＩ入出力部３へ出力されたＣＥＣコマンドは、ＨＤＭＩケーブルのＣＥＣ信号線を介して外部機器に入力される。
【００３９】
また、外部機器がソース機器である場合、外部機器からＨＤＭＩケーブルのＤＤＣ５Ｖ信号線、ＨＤＭＩ入出力部３を介して５Ｖ電源がホットプラグ制御部２０に供給される。ＮＶＲＡＭ（不図示）がＨＤＭＩ端子毎に個別に設けられ、その個別に設けられたＮＶＲＡＭのうち、ＨＤＭＩケーブルが接続されているＨＤＭＩ端子に対応するＮＶＲＡＭにのみ、外部機器からＨＤＭＩケーブルのＤＤＣ５Ｖ信号線、ＨＤＭＩ入出力部３を介して５Ｖ電源が供給される。ホットプラグ制御部２０は、ＨＤＭＩ入出力部３にＬｏｗレベル又はＨｉｇｈレベルの制御信号を出力することで外部機器（ソース機器）からシンク機器へのＡＶデータの送出開始タイミングを指示する。
【００４０】
これに対して、外部機器がシンク機器である場合、外部機器にＨＤＭＩケーブルのＤＤＣ５Ｖ信号線、ＨＤＭＩ入出力部３を介して５Ｖ電源を供給する。
【００４１】
また、ＡＶ入力部４は図示しないＳ端子、Ｄ端子、ＲＣＡ端子を有し、外部機器からＳ端子ケーブルまたはＤ端子ケーブルまたはＲＣＡ端子ケーブルを介してＡＶ入力部４に入力された映像音声情報はスイッチ９へ出力される。
【００４２】
スイッチ９は、ＡＶデコーダ６、ＨＤＭＩ入出力部３、ＡＶ入力部４の各映像音声入力を切り替えるスイッチである。映像処理部１０は、スイッチ９を介して入力される映像情報に対してデジタル映像処理を行う。ＯＳＤ／スケーラ１１は、第２のＣＰＵ１７から指示された文字情報や色情報に基づく映像データを生成したり、放送受信映像の縮小処理を行う回路である。このＯＳＤ／スケーラ１１により、番組情報に基づくＥＰＧ（Electronic Program Guide）表示、データ放送表示、メニュー画面表示などが行える。映像出力部１２は、ＯＤＳ／スケーラ１１から入力される映像情報を表示部１９の入力信号形式に変換する。そして、表示部１９は、映像出力部１２から入力される映像信号に基づき映像を表示する。
【００４３】
音声処理部１３は、スイッチ９を介して音声情報を受け取り、Ｄ／Ａ変換によるアナログ音声信号を音声出力部１４に出力する。音声出力部１４は、音声処理部１３から入力された音声信号を増幅等しスピーカ１５に出力する。そして、スピーカ１５は、音声出力部１４から入力された音声信号に基づき音声を発する。
【００４４】
リモコン送信機７は、テレビジョン受像機に指令を送出するための送信機である。このリモコン送信機７に設けられたキーが操作されると、そのキーに対応したリモコン信号がリモコン送信機７の発光部から送出される。リモコン受光部８は、リモコン信号を受光し、これを電気信号に変換して第１のＣＰＵ１６に与える。
【００４５】
第１のＣＰＵ１６は、リモコン送信機７からのリモコン信号や図示しない操作部のキー操作による信号に対する処理、チューナ２などに対する制御を主に行う。そして、第１のＣＰＵ１６は、リモコン送信機７による電源ＯＦＦ（パワーセーブモードへの移行）が行われたときでも、電力供給を受けて動作しており、リモコン信号を監視する等の処理を行う。一方、第２のＣＰＵ１７は、ＯＳＤ／スケーラ１１、映像処理部１０、表示部１９などに対する制御を主に行う。第１のＣＰＵ１６と第２のＣＰＵ１７とは、相互に通信ができる仕様となっており、第１のＣＰＵ１６の制御により、第２のＣＰＵ１７や映像・音声処理部２１の各ブロックを停止／起動することが可能となっている。
【００４６】
メモリ１８は、不揮発性メモリであって、制御プログラムや設定データなどを格納している。
【００４７】
コピー元テレビジョン受像機１００が設定データの全部又は一部を外部出力する場合、コピー元テレビジョン受像機１００において、第２のＣＰＵ１７は、メモリ１８に格納されている設定データの全部又は一部をコピー対象データとしてメモリ１８から読み出し、その読み出したデータを第１のＣＰＵ１６に転送し、第１のＣＰＵ１６は、第２のＣＰＵ１７から転送されてきたデータを、ベンダーが独自に定義したＣＥＣコマンド（ベンダーコマンド）を用いて、ＨＤＭＩ入出力部３に設けられているＨＤＭＩ端子のＣＥＣピンに出力する。
【００４８】
コピー元テレビジョン受像機１００が設定データの全部又は一部を外部出力する場合に用いられるベンダーコマンドは、例えば、以下の表１のようなフォーマットにすればよい。
【００４９】
【表１】
2011004067.tif 000003
【００５０】
１バイト目のAddressは、コピー元テレビジョン受像機１００（論理Address０）から論理AddressＦへの通信であることを示している。論理AddressＦは接続先全てを示すアドレスであるため、コピー先テレビジョン受像機２００も論理AddressＦに含まれる。２バイト目のOP_Codeは、コマンドがベンダーの独自コードであることを示している。３バイト目は、機能通知（設定データの全部又は一部のコピー機能である旨の通知）であることを示している。４バイト目は、５バイト目以降のメニュー識別と設定値の組の送信数を示している。５バイト目以降は、２バイト単位でメニュー識別とそのメニュー識別によって特定されるメニューに関する設定値とを示している。ここで、メニュー識別とは、選局可能なチャンネル、映像のコントラスト、映像のブライト、ホテルモード設定（メニュー画面表示の有効・無効、ＯＳＤ表示の有無など）などの各種メニューを識別するための番号である。
【００５１】
一方、コピー先テレビジョン受像機２００が設定データの全部又は一部を外部入力する場合、コピー先テレビジョン受像機２００において、ＨＤＭＩ入出力部３に設けられているＨＤＭＩ端子のＣＥＣピンは、ＨＤＭＩケーブルのＣＥＣ信号線から受け取った設定データの全部又は一部を第１のＣＰＵ１６に送り、第１のＣＰＵ１６は、ＣＥＣピンから送られてきたデータを第２のＣＰＵ１７に転送し、第２のＣＰＵ１７は、第１のＣＰＵ１６から転送されてきたデータに基づいて、メモリ１８に格納されている設定データを更新する。
【００５２】
また、設定データの全部又は一部をコピーする機能は、一般ユーザが利用する機能ではないため、複合キー（特定の複数キーの同時操作）や隠しメニューなどを用いなければ、設定データの全部又は一部をコピーする機能を実行することができないようにして、設定データの全部又は一部をコピーする機能の実行を制限してもよい。
【００５３】
図１に示すように、コピー元テレビジョン受像機１００とコピー先テレビジョン受像機２００とをＨＤＭＩケーブル３００を介して接続した後、例えば、以下のような手順で設定データの全部又は一部をコピーする機能が実行される。
【００５４】
（Ａ１）販売店やサービスの作業者が、コピー元テレビジョン受像機１００側で複合キーや隠しメニューを用いて、コピー元テレビジョン受像機１００のモードを設定データコピーモードに変更し、設定データの全部又は一部のコピー開始を指示する。なお、複合キーを用いる場合、複合キーにより直接コピー開始が指示されてもよく、複合キーにより隠しメニューが現れるようにし、隠しメニューからコピー開始が指示されるようにしてもよい。
【００５５】
（Ａ２）コピー元テレビジョン受像機１００が、上述した表１のフォーマットのベンダーコマンドをコピー先テレビジョン受像機２００に送信する。
【００５６】
（Ａ３）コピー先テレビジョン受像機２００は、上述した表１のフォーマットのベンダーコマンドを受信する。ＣＥＣは規格上、１コマンドで１６バイトまでしかデータ送受信を行うことができない。通常、１６バイトではコピー対象データの全てをコピー元テレビジョン受像機１００からコピー先テレビジョン受像機２００に送ることができないため、複数のベンダーコマンドによりコピー対象データの全てをコピー元テレビジョン受像機１００からコピー先テレビジョン受像機２００に送る。コピー先テレビジョン受像機２００は、コピー対象データの受信終了を、ベンダーコマンドに０×ＦＦであるメニュー識別が含まれているか否かで判断する。
【００５７】
（Ａ４）コピー先テレビジョン受像機２００は、０×ＦＦであるメニュー識別が含まれているベンダーコマンドを受信すると、それまでに受信したベンダーコマンドに基づいて、メモリ１８に格納されている設定データを更新する。なお、コピー先テレビジョン受像機２００は、上述した表１に示すフォーマットのベンダーコマンドの受信開始から、メモリ１８に格納されている設定データの更新完了までの間、図３に示すように、設定データコピー中メッセージを表示部１９にＯＳＤ表示させてもよい。また、ＯＳＤ表示の代わりに、例えばコピー先テレビジョン受像機２００に設けられているＬＥＤを点灯させ、設定データコピー中であることを報知するようにしてもよい。
【００５８】
（Ａ５）コピー先テレビジョン受像機２００は、メモリ１８に格納されている設定データの更新が完了した後、所定の期間、図４に示すように、設定データコピー終了メッセージを表示部１９にＯＳＤ表示させる。また、ＯＳＤ表示の代わりに、例えばコピー先テレビジョン受像機２００に設けられているＬＥＤを点灯させ、設定データコピー終了であることを報知するようにしてもよい。設定データコピー中の報知と設定データコピー終了の報知とは、ＬＥＤの発光色（例えば赤色と緑色）や点灯状態（例えば点滅と常時点灯）などで区別するとよい。
【００５９】
（Ａ６）設定データコピー終了後、販売店やサービスの作業者が、コピー元テレビジョン受像機１００の電源をオフするなどして、コピー元テレビジョン受像機１００の設定データコピーモードを解除する。
【００６０】
上記の手順では、販売店やサービスの作業者が設定データの全部又は一部のコピー開始をコピー元テレビジョン受像機１００側で指示しているが、例えば以下の表２のようなフォーマットのベンダーコマンドを使用することにより、販売店やサービスの作業者が設定データの全部又は一部のコピー開始をコピー先テレビジョン受像機２００側で指示することも可能である。この場合、例えば上記の手順において上記の処理（Ａ１）を下記の処理（Ａ１’）に変更すればよい。
【００６１】
（Ａ１’）販売店やサービスの作業者が、コピー元テレビジョン受像機１００側で複合キーや隠しメニューを用いて、コピー元テレビジョン受像機１００のモードを設定データコピーモードに変更し、コピー開始待ちの待機状態にする。その後、販売店やサービスの作業者が、コピー先テレビジョン受像機２００側で複合キーや隠しメニューを用いて、コピー先テレビジョン受像機２００に、コピー開始指示コマンド、例えば下記の表２のフォーマットのベンダーコマンドを送信させる。
【００６２】
【表２】
2011004067.tif 000004
【００６３】
１バイト目のAddressは、コピー先テレビジョン受像機２００（論理Address０）から論理AddressＦへの通信であることを示している。論理AddressＦは接続先全てを示すアドレスであるため、コピー元テレビジョン受像機１００も論理AddressＦに含まれる。２バイト目のOP_Codeは、コマンドがベンダーの独自コードであることを示している。３バイト目は、機能問い合わせ（設定データの全部又は一部のコピー機能の問い合わせ）であることを示している。
【００６４】
上述した図１に示すコピー元テレビジョン受像機１００とコピー先テレビジョン受像機２００とのＨＤＭＩ接続例は、コピー元テレビジョン受像機１００とコピー先テレビジョン受像機２００とが１対１のＨＤＭＩ接続例であった。しかしながら、上述した通り、図２に示す構成のコピー元テレビジョン受像機１００及びコピー先テレビジョン受像機２００では、ＨＤＭＩ入出力部３が有する３つのＨＤＭＩ端子のＣＥＣピンは直結されて第１のＣＰＵ１６に接続されているため、例えば、図５に示すようにコピー元テレビジョン受像機１００と複数のコピー先テレビジョン受像機２００とを複数のＨＤＭＩケーブル３００を用いてＨＤＭＩ接続すれば、複数のコピー先テレビジョン受像機２００に同時に設定データの全部又は一部をコピーすることができる。
【００６５】
また、上述した図１や図５に示すコピー元テレビジョン受像機１００とコピー先テレビジョン受像機２００とのＨＤＭＩ接続例では、設定データの全部又は一部のコピーを行う際のコピー元テレビジョン受像機１００とコピー先テレビジョン受像機２００との位置関係が、ＨＤＭＩケーブル３００の全長により制約を受けてしまう。そこで、このような位置関係の制約を回避するために、設定データコピー用治具を用いるようにしてもよい。
【００６６】
本発明の一実施形態に係る設定データコピー用治具４００の概略構成例を図６に示す。設定データコピー用治具４００は、ＨＤＭＩ入出力部２２と、ＣＥＣ制御部２３と、メモリ２４と、ホットプラグ制御部２５とを備える。
【００６７】
ＨＤＭＩ入出力部２２は、コピー元テレビジョン受像機１００及びコピー先テレビジョン受像機２００のＨＤＭＩ入出力部３と同様の構成である。また、ホットプラグ制御部２５は、コピー元テレビジョン受像機１００及びコピー先テレビジョン受像機２００のホットプラグ制御部２０と同様の構成である。
【００６８】
ＣＥＣ制御部２３は、コピー元テレビジョン受像機１００及びコピー先テレビジョン受像機２００の第１のＣＰＵ１６及び第２のＣＰＵ１７のＣＥＣ制御に関する部分に対応するものである。また、メモリ２４は、ＣＥＣ制御に関する制御プログラムを格納しており、コピー元テレビジョン受像機１００から送られてくる設定データの全部又は一部を格納することができる。
【００６９】
設定データコピー用治具４００を用いて、設定データの全部又は一部をコピーする手順の一例を以下に説明する。
【００７０】
（Ｂ１）販売店やサービスの作業者が、図７（ａ）に示すように、コピー元テレビジョン受像機１００と設定データコピー用治具４００とをＨＤＭＩケーブル３００を介して接続し、その後、コピー元テレビジョン受像機１００側で複合キーや隠しメニューを用いて、コピー元テレビジョン受像機１００のモードを設定データコピーモードに変更し、設定データの全部又は一部のコピー開始を指示する。なお、複合キーを用いる場合、複合キーにより直接コピー開始が指示されてもよく、複合キーにより隠しメニューが現れるようにし、隠しメニューからコピー開始が指示されるようにしてもよい。
【００７１】
（Ｂ２）コピー元テレビジョン受像機１００が、上述した表１のフォーマットのベンダーコマンドを設定データコピー用治具４００に送信する。
【００７２】
（Ｂ３）設定データコピー用治具４００は、上述した表１のフォーマットのベンダーコマンドを受信する。ＣＥＣは規格上、１コマンドで１６バイトまでしかデータ送受信を行うことができない。通常、１６バイトではコピー対象データの全てをコピー元テレビジョン受像機１００から設定データコピー用治具４００に送ることができないため、複数のベンダーコマンドによりコピー対象データの全てをコピー元テレビジョン受像機１００から設定データコピー用治具４００に送る。設定データコピー用治具４００は、コピー対象データの受信終了を、ベンダーコマンドに０×ＦＦであるメニュー識別が含まれているか否かで判断する。
【００７３】
（Ｂ４）設定データコピー用治具４００は、０×ＦＦであるメニュー識別が含まれているベンダーコマンドを受信すると、それまでに受信したベンダーコマンドに基づいて、メモリ２４に設定データの全部又は一部を格納する（以前に設定データの全部又は一部を格納してある場合は設定データを更新する）。なお、例えば、設定データコピー用治具４００にＬＥＤを設け、以下のような報知を行ってもよい。上述した表１に示すフォーマットのベンダーコマンドの受信開始から、メモリ２４へのデータ書き込み完了までの間、ＬＥＤを点灯させ、設定データコピー中であることを報知し、メモリ２４へのデータ書き込みが完了した後、所定の期間、ＬＥＤを点灯させ、設定データコピー終了であることを報知する。設定データコピー中の報知と設定データコピー終了の報知とは、ＬＥＤの発光色（例えば赤色と緑色）や点灯状態（例えば点滅と常時点灯）などで区別するとよい。
【００７４】
（Ｂ５）コピー元テレビジョン受像機１００から設定データコピー用治具４００への設定データコピー終了後、販売店やサービスの作業者が、コピー元テレビジョン受像機１００の電源をオフするなどして、コピー元テレビジョン受像機１００の設定データコピーモードを解除する。それから、販売店やサービスの作業者が、図７（ｂ）に示すように、設定データコピー用治具４００とコピー先テレビジョン受像機２００とをＨＤＭＩケーブル３００を介して接続し、その後、設定データコピー用治具４００に設けられているキー（不図示）を用いて、設定データコピー用治具４００に、設定データの全部又は一部のコピー開始を指示する。
【００７５】
（Ｂ６）設定データコピー用治具４００が、上述した表１のフォーマットのベンダーコマンドをコピー先テレビジョン受像機２００に送信する。
【００７６】
（Ｂ７）コピー先テレビジョン受像機２００は、上述した表１のフォーマットのベンダーコマンドを受信する。ＣＥＣは規格上、１コマンドで１６バイトまでしかデータ送受信を行うことができない。通常、１６バイトではコピー対象データの全てを設定データコピー用治具４００からコピー先テレビジョン受像機２００に送ることができないため、複数のベンダーコマンドによりコピー対象データの全てを設定データコピー用治具４００からコピー先テレビジョン受像機２００に送る。コピー先テレビジョン受像機２００は、コピー対象データの受信終了を、ベンダーコマンドに０×ＦＦであるメニュー識別が含まれているか否かで判断する。
【００７７】
（Ｂ８）コピー先テレビジョン受像機２００は、０×ＦＦであるメニュー識別が含まれているベンダーコマンドを受信すると、それまでに受信したベンダーコマンドに基づいて、メモリ１８に格納されている設定データを更新する。なお、コピー先テレビジョン受像機２００は、上述した表１に示すフォーマットのベンダーコマンドの受信開始から、メモリ１８に格納されている設定データの更新完了までの間、図３に示すように、設定データコピー中メッセージを表示部１９にＯＳＤ表示させてもよい。また、ＯＳＤ表示の代わりに、例えばコピー先テレビジョン受像機２００に設けられているＬＥＤを点灯させ、設定データコピー中であることを報知するようにしてもよい。
【００７８】
（Ｂ９）コピー先テレビジョン受像機２００は、メモリ１８に格納されている設定データの更新が完了した後、所定の期間、図４に示すように、設定データコピー終了メッセージを表示部１９にＯＳＤ表示させる。また、ＯＳＤ表示の代わりに、例えばコピー先テレビジョン受像機２００に設けられているＬＥＤを点灯させ、設定データコピー終了であることを報知するようにしてもよい。設定データコピー中の報知と設定データコピー終了の報知とは、ＬＥＤの発光色（例えば赤色と緑色）や点灯状態（例えば点滅と常時点灯）などで区別するとよい。
【００７９】
上記の手順では、販売店やサービスの作業者がコピー元テレビジョン受像機１００から設定データコピー用治具４００への設定データの全部又は一部のコピー開始をコピー元テレビジョン受像機１００側で指示しているが、例えば上述した表２のようなフォーマットのベンダーコマンドを使用することにより、販売店やサービスの作業者が設定データの全部又は一部のコピー開始を設定データコピー用治具４００側で指示することも可能である。この場合、例えば設定データコピー用治具４００に設けたキー（不図示）を用いてコピー開始を指示すればよい。
【００８０】
また、上記の手順では、販売店やサービスの作業者が設定データコピー用治具４００からコピー先テレビジョン受像機２００への設定データの全部又は一部のコピー開始を設定データコピー用治具４００側で指示しているが、例えば上述した表２のようなフォーマットのベンダーコマンドを使用することにより、販売店やサービスの作業者が設定データの全部又は一部のコピー開始をコピー先テレビジョン受像機２００側で指示することも可能である。
【００８１】
以上、本発明に係る実施形態について説明したが、本発明の範囲はこれに限定されるものではなく、発明の主旨を逸脱しない範囲で種々の変更を加えて実行することができる。例えば、ＨＤＭＩ入出力部３とＨＤＭＩ入出力部２２とが直接接続できるように、ＨＤＭＩ入出力部２２のＨＤＭＩ端子の形状を変更してもよい。
【符号の説明】
【００８２】
１００    コピー元テレビジョン受像機
２００    コピー先テレビジョン受像機
３００    ＨＤＭＩケーブル
４００    設定データコピー用治具
１    アンテナ
２    チューナ
３    ＨＤＭＩ入出力部（ＨＤＭＩインターフェース）
４    ＡＶ入力部
５    ＤＥＭＵＸ（デマルチプレクサ）
６    ＡＶデコーダ
７    リモコン送信機
８    リモコン受光部
９    スイッチ
１０    映像処理部
１１    ＯＳＤ／スケーラ
１２    映像出力部
１３    音声処理部
１４    音声出力部
１５    スピーカ
１６    第１のＣＰＵ
１７    第２のＣＰＵ
１８    メモリ
１９    表示部
２０    ホットプラグ制御部
２１    映像・音声処理部
２２    ＨＤＭＩ入出力部
２３    ＣＥＣ制御部
２４    メモリ
２５    ホットプラグ制御部
【図１】
2011004067.tif 000005
【図２】
2011004067.tif 000006
【図３】
2011004067.tif 000007
【図４】
2011004067.tif 000008
【図５】
2011004067.tif 000009
【図６】
2011004067.tif 000010
【図７】
2011004067.tif 000011